(57)【要約】【課題】  微生物を利用し、生ごみの総量を十分に且つ確実に減らすことが出来る、生ごみ処理機を提供する。【解決手段】微生物菌床８、攪拌板３、粉砕機４を内蔵するドラム２及びタイマー・センサー付きコントローラー７とから成る。殊に、ドラム２下方の全面に一定厚さの微生物菌床８を設け、前記ドラム２内の上方半径方向に一枚の攪拌板３を設け、前記ドラム２内の半径方向に３本のスクリュー刃４ａから成る生ごみ粉砕機４を設け、且つドラム外に生ごみの生ごみ水分率、ドラム内温度、ドラム回転数、粉砕機スクリュー刃回転数、生ごみ投入口５並びに残渣取り出し口６開閉の各条件を自動制御するタイマー・センサー付きコントローラー７を有してなる生ごみ処理機を構成する。【選択図】図１
2007144269.tif 000002
【特許請求の範囲】
【請求項１】
微生物菌床、攪拌板、粉砕機を内蔵するドラム及び多用途タイマー・センサー付きコントローラーとから成ることを特徴とする、生ごみ処理機。
【請求項２】
前記ドラムは、生ごみ処理機のハウジング内に、斜めに取り付けられることを特徴とする、請求項１に記載の生ごみ処理機。
【請求項３】
前記攪拌板は前記ドラム内の上方に１〜３枚設けて成ることを特徴とする、請求項１〜３の何れかに記載の生ごみ処理機。
【請求項４】
前記粉砕機は、生ごみ処理機のハウジング内に、それぞれ刃を有する１〜５個のスクリュー刃から成ることを特徴とする、請求項１又は２に記載の生ごみ処理機。
【請求項５】
前記タイマー・センサー付きコントローラーは、生ごみ水分率、ドラム内温度、ドラム回転速度、粉砕機スクリュー刃回転速度、生ごみ投入並びに残渣取り出し口開閉の各条件を自動制御することを特徴とする、請求項１〜４の何れかに記載の生ごみ処理機。
【請求項６】
生ごみ処理機のハウジング内に、斜めに設けられたドラム下方の全面に一定厚さの微生物菌床を設け、前記ドラム内の上方半径方向に一枚の攪拌板を設け、前記ドラム内の半径方向に３本のスクリュー刃刃から成る生ごみ粉砕機を設け、且つドラム外に生ごみの生ごみ水分率、ドラム内温度、ドラム回転速度、粉砕機スクリュー刃回転速度、生ごみ投入並びに残渣取り出し口の開閉の各条件を自動制御するタイマー・センサー付きコントローラーを有してなることを特徴とする生ごみ処理機。
【請求項７】
生ごみ投入時及び残渣取り出し時に、生ごみ投入口蓋及び残渣取り出し口蓋が、センサーにより自動的に開閉することを特徴とする、請求項１〜６の何れかに記載の生ごみ処理機。
【発明の詳細な説明】
【技術分野】
【０００１】
本発明は、微生物を利用した生ごみ処理機に関し、殊に斜めドラム内に攪拌板、粉砕機を設け、外付けタイマー・センサー付きコントローラーに、生ごみ水分率、ドラム内温度、ドラム回転速度、粉砕機スクリュー刃回転速度、生ごみ投入並びに残渣取り出し口の開閉の各条件を自動制御させた、生ごみ処理機に関する。
【背景技術】
【０００２】
近年、ごみ処理特に生ごみ処理については、各地方自治体、各企業、各家庭共にその廃棄・処理の対応に困窮しており、その根本的な解決策が待たれていた。そのため、各種多様の生ごみ処理機が創造され、その対応に当てられていた。その多くは、生ごみ中の水分を少なくして生ごみ総量を減少させたり、生ごみを燃焼させたり、微生物に処理させたりするものが多く見られた。
【０００３】
特許文献１には、生ごみ処理用の分解媒体（微生物）と温度タイマー・センサー付きコントローラーの組み合わせによる生ごみ処理装置が開示されている。
特許文献２には、生ごみの微生物による分解処理、生ごみの粉砕処理、回転式ドラム層の組み合わせによる生ごみ処理装置が開示されている。
特許文献３には、生ごみの微生物による分解処理と水分（含水率）タイマー・センサー付きコントローラーの組み合わせによる生ごみ処理装置が開示されている。
特許文献４には、生ごみの微生物による分解処理と回転ドラム、生ごみ粉砕ローラの組み合わせによる生ごみ処理装置が開示されている。
【特許文献１】特開２０００ー２１０６４５号公報
【特許文献２】特開２００２ー３５７２６号公報
【特許文献３】特開２００４ー１７４３５２号公報
【特許文献４】特開２００５ー２１８９４５号公報
【発明の開示】
【発明が解決しようとする課題】
【０００４】
しかしながら、従来の生ごみ処理機において、水分をとばす種類のものは、生ごみの嵩を減らすことは出来ても、生ごみそのものを減らすことが出来ず、また燃焼するものはダイオキシンなどの発生の問題などがあり、また微生物を使用するものは、その実用性に確信・安定性に未だ不具合があり、それぞれ一長一短であった。
【０００５】
上記の特許文献１〜４に開示の生ごみ処理装置においては、生ごみを処理するドラムを斜めに設けたものは見当たらず、そのため生ごみ粉砕や粉砕ごみの攪拌の精度に限界がみられ、またタイマー・センサー付きコントローラーも水分や温度などとその用途が限られており、本願発明のような多用途タイマー・センサー付きコントローラーを使用したものはみられない。
【０００６】
本願発明は、微生物を利用し、生ごみの総量を十分に且つ確実に減らすことが出来る、生ごみ処理機を提供する。
【課題を解決するための手段】
【０００７】
上記目的は、本発明の構成によれば、微生物菌床、攪拌板、粉砕機を内蔵するドラム及びタイマー・センサー付きコントローラーとから成ることを特徴とする、生ごみ処理機により達成される。
この生ごみ処理機によれば、各構成の作用が十分に機能し、所期の目的が達成される。
【０００８】
本発明の生ごみ処理機は、好ましくは、前記ドラムは生ごみ処理機のハウジング内にて斜めに取り付けられる。
この生ごみ処理機によれば、斜めドラムの構成の作用により、粉砕、攪拌をより容易且つ確実にすることができる。
【０００９】
本発明の生ごみ処理機は、好ましくは、前記攪拌板は前記ドラムの上方に１〜３枚設けて成る。
この生ごみ処理機によれば、前記ドラムの上方に１〜３枚設けて成る攪拌板により、粉砕された生ごみを十分に攪拌でき、微生物による生ごみ処理を容易且つ確実にすることができる。
【００１０】
本発明の生ごみ処理機は、好ましくは、前記粉砕機はそれぞれ刃を有する１〜５個のスクリュー刃から成る。
この生ごみ処理機によれば、それぞれ刃を有する１〜５個のスクリュー刃により、生ごみを粉砕し、微生物による生ごみ処理を容易且つ確実にすることができる。
【００１１】
本発明の生ごみ処理機は、好ましくは、前記タイマー・センサー付きコントローラーは、生ごみ水分率、ドラム内温度、ドラム回転速度、粉砕機スクリュー刃回転速度、生ごみ投入並びに残渣取り出し口の開閉の各条件を自動制御する。
この生ごみ処理機によれば、前記タイマー・センサー付きコントローラーにより生ごみ水分率、ドラム内温度、ドラム回転速度、粉砕機スクリュー刃回転速度、生ごみ投入並びに残渣取り出し口の開閉の各条件を自動制御するので、微生物による生ごみ処理を容易且つ確実にすることができる。
【００１２】
本発明の生ごみ処理機は、好ましくは、ドラム下方の全面に一定厚さの微生物菌床を設け、前記ドラム内の上方半径方向に一枚の攪拌板を設け、前記ドラム内の半径方向に３本のスクリュー刃から成る生ごみ粉砕機を設け、且つドラム外に生ごみの生ごみ水分率、ドラム内温度、ドラム回転数、粉砕機スクリュー刃回転数、生ごみ投入並びに残渣取り出し口の開閉の各条件を自動制御するタイマー・センサー付きコントローラーを有してなる。
この生ごみ処理機によれば、各構成がより具体的になり、その作用・効果がより確実になされる。
【００１３】
本発明の生ごみ処理機は、好ましくは、生ごみ投入時及び残渣取り出し時に、生ごみ投入口蓋及び残渣取り出し口蓋が、センサーにより自動的に開閉する。
この生ごみ処理機によれば、生ごみ処理投入口、生ごみ残渣取り出し口の開閉を手動によらず、当該生ごみ処理機の利用者が生ごみ処理投入並びに生ごみ残渣取り出しの際に、手が塞がっていても、センサーによる自動感知により、生ごみ処理投入口の蓋、生ごみ残渣取り出し口の蓋の開閉が自動的に行われ、好適に対応することが可能となる。
【発明の効果】
【００１４】
本発明の生ごみ処理機は、微生物培養の菌床、生ごみ攪拌板、生ごみ粉砕機、を内蔵する斜めドラムの回転と前記タイマー・センサー付きコントローラーによる、生ごみ水分率、ドラム内温度、ドラム回転、粉砕機スクリュー刃回転、生ごみ投入並びに残渣取り出し口の開閉の各条件が自動的に制御され、微生物の繁殖、生ごみの攪拌、生ごみの粉砕、安全な生ごみの投入、安全な残渣の取り出しが適切になされることとなる。
即ち、生ゴミ投入ドラムを斜めに設定したので、生ごみの攪拌、粉砕を容易にすることができる。また、この斜めドラムにより、粒子の粗い生ごみは上方に押し上げられ、生ごみの攪拌・粉砕が容易になる。
攪拌板をドラムに内蔵させたので、粉砕した生ゴミを攪拌させ、微生物・バクテリアの活動による生ゴミ処理を容易にする。
粉砕機の複数のスクリュー刃により、生ゴミを粉砕させるので、生ごみが細かくなり、微生物・バクテリアの活動による生ゴミ処理を容易にすることができる。
タイマー・センサー付きコントローラーにより、ドラム下方に設けた、残渣取り出し口の位置決めを行い、生ゴミ処理機の稼働時間を設定し、ドラムの回転並びに粉砕機の回転速度を設定し、更にドラム内温度を設定するので、微生物が繁殖し易い一定の温度に設定し、生ゴミ搬入口の蓋閉め構造を自動開閉にし（生ゴミ投入時、ドラムの回転並びに粉砕機の回転を自動停止させる）臭気を防止し、安全に稼働させることができ、残渣取り出し口の蓋閉め構造を自動開閉にし（残渣取り出し時、ドラムの回転並びに粉砕機の回転を自動停止させる）本生ごみ処理機を安全に稼働させることができる。
【発明を実施するための最良の形態】
【００１５】
以下、この発明の好適な実施形態を図１〜図３を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
［実施例１］
【００１６】
以下に、本発明に係わる生ごみ処理機の具体的な操作につき、説明する。
先ず、本体の電源（不図示）をＯＮにし、タイマー・センサー付きコントローラー７のスイッチ７ａをＯＮにし、ドラム２並びに粉砕機４を稼働させ、ドラム２内温度を５５℃・ドラム２の回転数を３０／分・粉砕機４の回転数を５００／分に設定し、生ごみの生ごみ水分率を所定値に設定し、生ごみ処理投入口５並びに生ごみ残渣取り出し口６に対するセンサーを稼働させる。
次いで、生ごみ処理投入口開閉用のレバー７ａを操作し、生ごみ処理投入口５を開き、生ごみをドラム２内に投入する。この際、上記のタイマー・センサー付きコントローラ７の作動により、作動により前記ドラム２並びにスクリュー刃４ａを有する粉砕機４の回転が止まり、安全に生ごみを投入できる。
【００１７】
投入された生ゴミは、斜めドラム２の回転により、粒子の粗い生ごみは上方に押し上げられ、生ごみの攪拌・粉砕が容易になる。
斜めドラム２内の生ごみは、攪拌板３により十分に攪拌され、微生物・バクテリアの活動による生ゴミ処理を容易にする。
【００１８】
攪拌された生ごみは、生ごみ処理機１０のハウジング１内に設けられ、当該ハウジング１内にて斜めに設置され、モータ（不図示）により駆動・回転されるドラム２内にて、前記生ごみ処理機１０のドラム２内の半径方向に設けられた生ごみ粉砕用のスクリュー刃４ａにより、粉砕される。このスクリュー刃４ａは３本備えられており、外付けのギア４ｂ並びにベルト４ｃにより、モータにより駆動される。
このように、粉砕機の複数のスクリュー刃により、生ゴミを粉砕させるので、生ごみが細かくなり、微生物・バクテリアの活動による生ゴミ処理を容易にすることができる。
生ごみは、前記ドラム２の下方全面に前記ドラム２の約１／２の厚さとし、おが屑にバチルス菌を培養することにより設けられた微生物菌床８とも混合される。これにより、初期設定の時間経過後、バチルス菌の活動により、攪拌された粉砕済み生ごみは、約１／１０減量される。
なお、微生物繁殖並びに活動が弱くなった場合には、当該微生物菌床８の約半分を新規なものに取り替えることにより、継続的な生ごみ処理が可能となる。
また、上記の初期設定の稼働時間が終了し、本生ごみ処理機１０の作動が終了した後、前記ハウジング１に対応する生ごみ残渣取り出し口６より、生ごみ残渣を取り出す。この場合も、前述のタイマー・センサー付きコントローラー７により、生ごみ残渣取り出し口６が取り出し口６ａに合うようになっており、またタイマー時間内でも前記ドラム２の回転が止まり、安全に生ごみ残渣を取り出せる。
［実施例２］
【００１９】
以下に、本発明の生ごみ処理機の第二の実施形態の構成を説明する。
上記の実施例１と同様の構成については、同様の符号を付してその説明を省略する。
本実施例においては、生ごみ処理投入口５、生ごみ残渣取り出し口６の開閉をタイマー・センサー付きコントローラー７により、自動的に行うこととする。これにより、生ごみ処理投入口５、生ごみ残渣取り出し口６の開閉を手動によらず、当該生ごみ処理機の利用者が生ごみ処理投入並びに生ごみ残渣取り出しの際に、手が塞がっていても、タイマー・センサー付きコントローラー７の自動感知により、生ごみ処理投入口５、生ごみ残渣取り出し口６の開閉が自動的に行われ、好適に対応することが可能となる。
【産業上の利用可能性】
【００２０】
本願発明における生ごみ処理機は、比較的小型・中型のものを想定しているが各構成要素のサイズ対応により、家庭用や中小企業における利用に止まらず、地方自治体、大企業、団体などにおける利用も可能である。
【図面の簡単な説明】
【００２１】
【図１】本発明の第一の実施形態の構成を示す内部切欠き正面図である。
【図２】本発明における粉砕機を詳細に示す斜視図である。
【図３】本発明概略構成を示す斜視図である。
【符号の説明】
【００２２】
１・・・ハウジング
２・・・ドラム
３・・・攪拌板
４・・・粉砕機
４ａ・・スクリュー刃
４ｂ・・ギア
４ｃ・・ベルト
５・・・生ごみ投入口
５ａ・・生ごみ投入口開閉レバー
５ｂ・・生ごみ投入口開閉蓋
６・・・残渣取り出し口
６ａ・・残渣取り出し口（ハウジング側）
７・・・タイマー・センサー付きコントローラー
７ａ・・タイマー・センサー付きコントローラースイッチ
８・・・微生物菌床
１０・・生ごみ処理機
【図１】
2007144269.tif 000003
【図２】
2007144269.tif 000004
【図３】
2007144269.tif 000005